(57)【要約】【課題】逆流による上水道の汚染や噴霧用流路の内圧の過剰な上昇を防止したうえで、排水管を廃することにより設置作業が容易でコンパクトなミストサウナ装置を提供する。【解決手段】液液熱交換器１１の上流側の噴霧用流路７に第１電磁弁１０を設ける。液液熱交換器１１の下流側の噴霧用流路７に第２電磁弁１２を設ける。第１電磁弁１０の上流側の噴霧用流路に、第１電磁弁１０へ向かう水流を許容し且つ第１電磁弁１０から上流方向への逆流を阻止する逆止弁９を設ける。第１電磁弁１０が閉弁しているとき、第１電磁弁１０と逆止弁９と間の噴霧用流路７の内圧を逃がす第１過圧逃がし手段２０を設ける。第１電磁弁１０と第２電磁弁１２との両方が閉弁しているとき、第１電磁弁１０と第２電磁弁１２と間の噴霧用流路７の内圧を逃がす第２過圧逃がし手段２２を設ける。【選択図】図１
2014031971.tif 000002
【特許請求の範囲】
【請求項１】
熱源機と、浴室に配置した噴霧ヘッドと、該噴霧ヘッドに連なる噴霧用流路に介設した液液熱交換器とを備え、前記噴霧ヘッドに供給する水を熱源機から熱媒循環路を介して前記液液熱交換器に供給する熱媒体により加熱し、前記噴霧ヘッドから温水を噴霧させるミスト運転を行うようにしたミストサウナ装置において、
前記液液熱交換器の上流側の前記噴霧用流路を開閉する第１電磁弁と、
前記液液熱交換器の下流側の前記噴霧用流路を開閉する第２電磁弁と、
前記第１電磁弁の上流側の前記噴霧用流路に介設されて該第１電磁弁へ向かう水流を許容し且つ該第１電磁弁から上流方向への逆流を阻止する逆止弁と、
前記第１電磁弁が閉弁しているとき、該第１電磁弁と前記逆止弁と間の前記噴霧用流路の内圧を逃がす第１過圧逃がし手段と、
前記第１電磁弁と前記第２電磁弁との両方が閉弁しているとき、前記第１電磁弁と前記第２電磁弁と間の前記噴霧用流路の内圧を逃がす第２過圧逃がし手段とを備えることを特徴とするミストサウナ装置。
【請求項２】
前記逆止弁と前記第１電磁弁と間の前記噴霧用流路と、前記第１電磁弁と前記第２電磁弁と間の前記噴霧用流路とを、前記第１電磁弁を迂回して接続する迂回路を設け、
該迂回路に前記第１過圧逃がし手段を介設し、
該第１過圧逃がし手段により逃がした前記逆止弁と前記第１電磁弁と間の前記噴霧用流路の内圧を、前記迂回路を通して前記第１電磁弁と前記第２電磁弁と間の前記噴霧用流路に導入することを特徴とする請求項１記載のミストサウナ装置。
【発明の詳細な説明】
【技術分野】
【０００１】
本発明は、浴室に配置した噴霧ヘッドから温水を噴霧させてサウナ効果を得られるようにしたミストサウナ装置に関する。
【背景技術】
【０００２】
従来、この種のミストサウナ装置として、熱源機と、浴室に配置した噴霧ヘッドと、噴霧ヘッドに連なる噴霧用流路に介設した液液熱交換器とを備え、噴霧ヘッドに供給する水を熱源機から熱媒循環路を介して液液熱交換器に供給する熱媒体により加熱し、噴霧ヘッドから温水を噴霧させるミスト運転を行うようにしたものが知られている(例えば、特許文献１参照)。
【０００３】
このものでは、液液熱交換器の下流側の噴霧用流路に２つの電磁弁が直列に介設され、噴霧用流路の両電磁弁間の部分から分岐する排水管が設けられている。排水管は、噴霧用流路内から外部に排水するためのものであり、排水管を開閉するための電磁弁が介設されている。
【０００４】
また、液液熱交換器は、一般に浴室の温水暖房用の循環水が熱媒循環路の熱媒体として熱源機から供給されるが、液液熱交換器内部の噴霧用流路と熱媒循環路とが相互に接する部分で腐食等により穴が開き、噴霧用流路と熱媒循環路とが短絡することがある。
【０００５】
浴室暖房用の循環水は、水、或いは、水にプロピレングリコール等の不凍液を混入させた液体が採用される場合があり、液液熱交換器内部で上記の短絡が生じると、噴霧用の水に浴室暖房用の循環水が混入し、噴霧用流路の上流端に接続された水道管に逆流して上水道を汚染するおそれがある。これを防止するため、液液熱交換器の上流側の噴霧用流路には逆止弁が設けられる。
【０００６】
また、ミスト運転を行わず、浴室暖房運転のみが行われることがある。この場合に、噴霧用流路の２つの電磁弁及び排水管の電磁弁が閉弁状態となっていると、噴霧用流路における水流がない状態で液液熱交換器やその周囲が高温雰囲気となるため、各電磁弁及び逆止弁間の噴霧用流路の内圧が高くなることがある。噴霧用流路の内圧が高くなると、各電磁弁の開弁が円滑に行えなくなる等の不都合が生じる。このため、ミスト運転を行わずに浴室暖房運転のみを行う際に排水管の電磁弁のみを開弁させたり、逆止弁の下流側の噴霧用流路と排水管とを接続する接続管を設けて、この接続管に過圧逃がし手段を設けることが行われている。
【先行技術文献】
【特許文献】
【０００７】
【特許文献１】特開２０１０−１９４３４１号公報（図４）
【発明の概要】
【発明が解決しようとする課題】
【０００８】
ところで、上記従来のミストサウナ装置においては噴霧用流路から外部に排水する排水管を備えているために、ミストサウナ装置の内部に排水管を設けるためのスペースが必要となるだけでなく、上述した排水用の電磁弁や、接続管及び過圧逃がし手段を設けるために構造が複雑となる。このため、ミストサウナ装置のコンパクト化や低コスト化を図ることができない不都合があった。更に、ミストサウナ装置を設置する際には、排水管を接続するための配管施工が必要であるため、設置作業時の効率を低下させる不都合があった。
【０００９】
上記の点に鑑み、本発明は、逆流による上水道の汚染や噴霧用流路の内圧の過剰な上昇を防止したうえで、排水管を廃することにより設置作業が容易でコンパクトなミストサウナ装置を提供することを目的とする。
【課題を解決するための手段】
【００１０】
かかる目的を達成するために、本発明は、熱源機と、浴室に配置した噴霧ヘッドと、該噴霧ヘッドに連なる噴霧用流路に介設した液液熱交換器とを備え、前記噴霧ヘッドに供給する水を熱源機から熱媒循環路を介して前記液液熱交換器に供給する熱媒体により加熱し、前記噴霧ヘッドから温水を噴霧させるミスト運転を行うようにしたミストサウナ装置において、前記液液熱交換器の上流側の前記噴霧用流路を開閉する第１電磁弁と、前記液液熱交換器の下流側の前記噴霧用流路を開閉する第２電磁弁と、前記第１電磁弁の上流側の前記噴霧用流路に介設されて該第１電磁弁へ向かう水流を許容し且つ該第１電磁弁から上流方向への逆流を阻止する逆止弁と、前記第１電磁弁が閉弁しているとき、該第１電磁弁と前記逆止弁と間の前記噴霧用流路の内圧を逃がす第１過圧逃がし手段と、前記第１電磁弁と前記第２電磁弁との両方が閉弁しているとき、前記第１電磁弁と前記第２電磁弁と間の前記噴霧用流路の内圧を逃がす第２過圧逃がし手段とを備えることを特徴とする。
【００１１】
本発明においては、液液熱交換器の上流側の噴霧用流路に第１電磁弁が設けられ、第１電磁弁の上流側の噴霧用流路に逆止弁が設けられている。これによれば、液液熱交換器と逆止弁との間に第１電磁弁が位置するので、第１電磁弁と逆止弁との何れか一方に動作不良が生じても他方が作動して確実に上水道の汚染を防止することができる。
【００１２】
また、第１電磁弁が閉弁しているとき、第１電磁弁と逆止弁との間の噴霧用流路の内圧が過剰に上昇しても、このときの過剰な内圧は第１過圧逃がし手段によって逃がすことができる。更に、第１電磁弁と第２電磁弁とが閉弁しているとき、両電磁弁間の噴霧用流路の内圧が過剰に上昇しても、このときの過剰な内圧は第２過圧逃がし手段によって逃がすことができる。
【００１３】
第１過圧逃がし手段及び第２過圧逃がし手段においては、例えば、噴霧用流路の内圧をミストサウナ装置の筐体内部で開放させることが考えられる。この場合、第１過圧逃がし手段や第２過圧逃がし手段からは、放出される圧力に伴い噴霧用流路内の水が流出するが、このときの水量は極めて微量であるため、ミストサウナ装置の筐体内部の高温雰囲気によって迅速に蒸発させることができる。
【００１４】
このように、噴霧用流路に設けた各弁間の内圧が過剰に上昇しても、第１過圧逃がし手段と第２過圧逃がし手段とによって過剰な内圧を円滑に逃がすことができるので、従来のように排水管を用いて噴霧用流路の内圧を逃がす必要がなく、よって、排水管が不要とすることができる。
【００１５】
そして、排水管が不要であることにより排水管を廃することができ、設置作業が容易でコンパクトなミストサウナ装置を提供することができる。
【００１６】
また、本発明においては、前記逆止弁と前記第１電磁弁と間の前記噴霧用流路と、前記第１電磁弁と前記第２電磁弁と間の前記噴霧用流路とを、前記第１電磁弁を迂回して接続する迂回路を設け、該迂回路に前記第１過圧逃がし手段を介設し、該第１過圧逃がし手段により逃がした前記逆止弁と前記第１電磁弁と間の前記噴霧用流路の内圧を、前記迂回路を通して前記第１電磁弁と前記第２電磁弁と間の前記噴霧用流路に導入することを特徴とする。
【００１７】
この構成により、逆止弁と第１電磁弁と間の噴霧用流路の内圧が過剰に上昇すると、このときの過剰な内圧は、第１過圧逃がし手段によって迂回路を介して第１電磁弁と第２電磁弁と間の噴霧用流路に導入される。そして、第１電磁弁と第２電磁弁と間の噴霧用流路に導入された過剰な内圧は、第２過圧逃がし手段により放出される。このように、第１過圧逃がし手段が介設された迂回路を備えることにより、噴霧用流路の過剰な圧力の放出出口を一箇所にまとめることができ、ミストサウナ装置を構造簡単でコンパクトに構成することができる。
【図面の簡単な説明】
【００１８】
【図１】本発明の実施形態におけるミストサウナ装置の回路を示す説明図。
【発明を実施するための形態】
【００１９】
本発明のミストサウナ装置について図１を参照して一実施形態を説明する。浴室１には、噴霧ヘッド２と、浴室暖房器３とが配置されている。浴室暖房器３は、浴室１内の空気を循環させる図示省略した循環ファンと放熱器４とを内蔵している。放熱器４は、浴室１の外部(屋外等)に配置した熱源機５に熱媒循環路６を介して接続されている。
【００２０】
熱源機５の作動により、熱源機５で加熱された熱媒体（水、又は、水に不凍液を混入させた液体等）が熱媒循環路６を介して放熱器４に供給され、放熱器４で加熱された空気が循環ファンにより浴室１に循環されて、浴室１の暖房運転が行われる。なお、図１においては模式的に示しているが、一般には、噴霧ヘッド２と浴室暖房器３とは浴室１の天井に配設される。
【００２１】
噴霧ヘッド２には、噴霧用流路７を介して噴霧用水が供給される。噴霧用流路７には、その上流側から順に、フィルタ付き水抜き栓８、逆止弁９、第１電磁弁１０、液液熱交換器１１、及び第２電磁弁１２が介設されており、噴霧用流路７の上流端には、図示省略した水道管が接続されている。
【００２２】
熱源機５で加熱された熱媒体は、浴室暖房器３用の熱媒循環路６から分岐した液液熱交換器１１用の熱媒分岐循環路１３を介して液液熱交換器１１に供給される。噴霧ヘッド２に向かう噴霧用水は、液液熱交換器１１において熱媒分岐循環路１３の熱媒体により加熱される。加熱された噴霧用水が噴霧ヘッド２から浴室１に散布することでミストサウナ運転が行われる。
【００２３】
熱媒循環路６には熱動弁１４が介設されており、熱媒分岐循環路１３には流量制御弁１５が介設されている。熱動弁１４は、熱媒循環路６を開閉し、流量制御弁１５は、熱媒分岐循環路１３を開閉する。また、熱媒循環路６には、熱媒体の温度を検出する熱媒温度センサ１６が設けられている。
【００２４】
液液熱交換器１１は、噴霧用流路７の上流側が下、下流側が上に位置するように起立姿勢で配置されている。そして、第１電磁弁１０の閉弁で液液熱交換器１１への給水が遮断され、第２電磁弁１２の閉弁で噴霧ヘッド２への給水が遮断される。噴霧用流路７における液液熱交換器１１と第２電磁弁１２との間には、噴霧用流路７を流れる噴霧用水の温度を検出する噴霧温度センサ１７が設けられている。なお、噴霧用流路７には従来のような排水管は設けられていない。
【００２５】
噴霧用流路７に、第１電磁弁１０と第２電磁弁１２とを設けたことにより、第１電磁弁１０と第２電磁弁１２との何れか一方に異物の噛み込み等による閉弁不良が生じても、他方により確実に噴霧用流路７を遮断することができ、水道水の無駄な使用を防止することができる。
【００２６】
また、第１電磁弁１０を液液熱交換器１１の上流側に設けたことにより、例えば、液液熱交換器１１に腐食や割れが生じて噴霧用流路７と熱媒分岐循環路１３とが短絡するような状態となった場合に、第１電磁弁１０を閉弁させることで、噴霧用流路７への給水を強制的に停止させることができる。
【００２７】
液液熱交換器１１、流量制御弁１５、熱媒温度センサ１６、第１電磁弁１０、第２電磁弁１２、噴霧温度センサ１７及び逆止弁９は、熱源機５とは別置きの噴霧ユニットとして筐体１８に収容されている。
【００２８】
逆止弁９と液液熱交換器１１との間の位置には、第１電磁弁１０を迂回する迂回路１９が設けられている。迂回路１９は、その上流端が逆止弁９と第１電磁弁１０との間の噴霧用流路７に接続され、その下流端が第１電磁弁１０と液液熱交換器１１との間の噴霧用流路７に接続されている。
【００２９】
迂回路１９には、第１過圧逃がし弁２０（第１過圧逃がし手段）が介設されている。第１過圧逃がし弁２０は、逆止弁９と第１電磁弁１０との間の噴霧用流路７の内圧が過剰に高くなると開弁してその圧力を迂回路１９の下流側へ逃がす。
【００３０】
筐体１８の内部は、浴室１の暖房運転時に熱媒循環路６や液液熱交換器１１から放出される熱により高温雰囲気になり易い。浴室１の暖房運転時にミストサウナ運転を行わないときには、第１電磁弁１０が閉弁状態となるため、逆止弁９と第１電磁弁１０との間の噴霧用流路７の内圧が上昇する。そして、逆止弁９と第１電磁弁１０との間の噴霧用流路７の内圧が過剰に高くなったとき、第１過圧逃がし弁２０が作動する。
【００３１】
このとき、第１過圧逃がし弁２０が設けられている迂回路１９の下流端が第１電磁弁１０と液液熱交換器１１との間の噴霧用流路７に接続されていることにより、第１過圧逃がし弁２０によって逃がされた圧力は第１電磁弁１０と液液熱交換器１１との間の噴霧用流路７に導入される。
【００３２】
また、液液熱交換器１１と第２電磁弁１２との間の噴霧用流路７には、分岐路２１の上流端が接続されている。分岐路２１には、第２過圧逃がし弁２２（第２過圧逃がし手段）が介設されている。分岐路２１の下流端は、筐体１８の内部で開放されている。そして、少なくとも、分岐路２１の開放された下流端の下方にはトレー状の水受け２３が設けられている。
【００３３】
第２過圧逃がし弁２２は、第１電磁弁１０と第２電磁弁１２との間の噴霧用流路７の内圧が過剰に高くなると開弁してその圧力を分岐路２１の下流端から筐体１８内部に逃がす。第１電磁弁１０と第２電磁弁１２との間の噴霧用流路７の内圧の上昇も、筐体１８の内部が高温雰囲気になることにより生じる。
【００３４】
分岐路２１の下流端では、第１電磁弁１０と第２電磁弁１２との間の噴霧用流路７の過剰な内圧が逃がされることにより、過剰圧に対応する量の噴霧用水が溢れ出る。このとき分岐路２１の下流端から溢れ出る噴霧用水は微量であるが、分岐路２１の下流端から下方に滴下した噴霧用水は水受け２３により捕捉される。そして、筐体１８の内部が高温雰囲気になることにより水受け２３に溜まった噴霧用水は容易に蒸発する。
【００３５】
上記実施形態においては、第１過圧逃がし弁２０により、逆止弁９と第１電磁弁１０との間の噴霧用流路７の過剰な内圧を逃がすことができ、第２過圧逃がし弁２２により、第１電磁弁１０と第２電磁弁１２との間の噴霧用流路７の過剰な内圧を逃がすことができるので、圧力の影響で両電磁弁１０，１２が開弁し難くなる事態を防止することができる。
【００３６】
また、従来のような排水管が設けられていなくても噴霧用流路７の内圧の過剰な上昇を防止することができるので、排水管を廃して設置作業が容易であると共に装置をコンパクトに構成することができる。
【００３７】
また、逆止弁９と第１電磁弁１０との間の噴霧用流路７の過剰な内圧は、第１過圧逃がし弁２０の作動により迂回路１９を介して第１電磁弁１０と第２電磁弁１２との間の噴霧用流路７に導入され、第２過圧逃がし弁２２の作動により分岐路２１の下流端から逃がされる。このように、噴霧用流路７の過剰な圧力の放出出口を一箇所にまとめることができるので、装置をコンパクトに構成することができる。
【００３８】
ところで、長期間使用すると、液液熱交換器１１の内部の腐食等により噴霧用水に熱媒体が混入することがある。熱媒体には、水、或いは、水にプロピレングリコール等の不凍液を混入させた液体が採用される。このため、熱媒体が噴霧用流路７に侵入して噴霧用水に混入することは好ましくないが、万一、噴霧用流路７の噴霧用水に熱媒体が混入しても、第２電磁弁１２及び逆止弁９によって確実に逆流が阻止される。従って、噴霧用流路７の上流端に接続されている水道管に熱媒体が混入することはなく、上水が汚染されるといった事態を確実に防止することができる。
【００３９】
なお、本実施形態においては、迂回路１９を設けて逆止弁９と第１電磁弁１０との間の噴霧用流路７の過剰な内圧を第１電磁弁１０と第２電磁弁１２との間の噴霧用流路７に導入しているが、これに替えて、図示しないが、逆止弁９と第１電磁弁１０との間の噴霧用流路７に下流端が開放された分岐路を接続し、この分岐路に第１過圧逃がし弁２０（第１過圧逃がし手段）を設けてもよい。この場合にも、分岐路の開放された下流端の下方にトレー状の水受けを設けることで、分岐路から漏れ出た噴霧用水を筐体１８の内部の高温雰囲気により蒸発させることができる。
【符号の説明】
【００４０】
１…浴室、２…噴霧ヘッド、５…熱源機、６…熱媒循環路、７…噴霧用流路、９…逆止弁、１０…第１電磁弁、１１…液液熱交換器、１２…第２電磁弁、１９…迂回路、２０…第１過圧逃がし弁（第１過圧逃がし手段）、２２…第２過圧逃がし弁（第２過圧逃がし手段）。
【図１】
2014031971.tif 000003